(57)【要約】【課題】有効な消音効果を発揮しつつ、パワーロスの防止を更に効果的に図り得る模型エンジン用消音器を提供する。【解決手段】円筒体の軸方向両側端部を閉塞してなる消音器本体１０内に、内部筒体３８を、一方の閉塞端部１４ａ側に偏倚して同軸的に配置して、それら内部筒体３８と消音器本体１０との間に、流入口１８を通じて外部に連通する環状間隙４２を、他方の閉塞端部１４ｂ側が閉鎖された状態で形成する一方、一方の閉塞端部１４の内面に、軸方向内方に突出する山形形状の案内突部４４を設けて、流入口１８から流入して環状間隙４２内を一方の閉塞端部１４ａに向かって流通する排気ガスが、案内突部４４の案内により、流通方向を反転させて、内部筒体３８内に導かれるように構成した。【選択図】図１
2011007143.tif 000002
【特許請求の範囲】
【請求項１】
長手の円筒体の軸方向両側の端部をそれぞれ閉塞してなる消音器本体内に、該消音器本体の一方の閉塞端部側に偏倚して同軸的に内部筒体を配置せしめ、該消音器本体の該一方の閉塞端部側に近接位置する該内部筒体の端部を開口部とする一方、該内部筒体の該消音器本体中央側に位置する端部側において、該消音器本体の内周面に連結して、それら内部筒体と消音器本体の内周面との間を閉鎖せしめ、更に、それら内部筒体と消音器本体との間に形成される環状間隙に模型エンジンからの排気ガスを導く流入口を該消音器本体に設けると共に、該消音器本体の他方の閉塞端部側に、該消音器本体内を流通した排気ガスを外部に排出するための流出口が設けられた模型エンジン用消音器において、
前記消音器本体の前記一方の閉塞端部内面に、軸方向内方に突出する山形形状の案内突部を設け、前記流入口から流入した排気ガスが、前記環状間隙を通って前記消音器本体の前記一方の閉塞端部側に導かれ、そして該一方の閉塞端部で反転させられると共に、前記案内突部にて案内されて、前記内部筒体の開口端から該内部筒体内に導かれ、更に前記消音器本体内を通って前記流出口から外部に排出されるように構成したことを特徴とする模型エンジン用消音器。
【請求項２】
前記案内突部が、円錐形状、又は湾曲先端部とした円錐形状において、形成されている請求項１に記載の模型エンジン用消音器。
【請求項３】
前記消音器本体における前記一方の閉塞端部内面と、該消音器本体の該一方の閉塞端部側の内周面との間に形成される内側角部が、凹状湾曲面形態を有している請求項１又は請求項２に記載の模型エンジン用消音器。
【請求項４】
前記消音器本体内を前記内部筒体の配置側と前記流出口の配置側とに仕切る仕切壁が設けられると共に、該仕切壁の両側の室を連通せしめる連通孔が該仕切壁に設けられている請求項１乃至請求項３のうちの何れか１項に記載の模型エンジン用消音器。
【発明の詳細な説明】
【技術分野】
【０００１】
本発明は、模型エンジン用消音器に係り、特に、模型飛行機や模型自動車、模型船舶等に取り付けられる模型エンジン用の消音器の改良に関する。
【背景技術】
【０００２】
一般に、模型飛行機や模型自動車、模型船舶等に取り付けられる模型エンジンには、２サイクルエンジンが使用されている。この２サイクルの模型用エンジンは、回転数が最高で２万回転近くに達するものもあり、高回転型で、排気音も大きい。そのため、従来の模型用エンジンには、通常、排気音を消音乃至は低減するための消音器が取り付けられている（例えば、下記特許文献１及び２参照）。
【０００３】
ところで、模型エンジン用消音器においては、一般のエンジン用消音器と同様に、排圧（背圧）を低下させて、パワーロスを防ぎ得る構造を有していることが要求される。
【０００４】
そこで、このような要求を満たすために、模型エンジンと消音器とを細長い連結パイプで連結するようにした模型エンジンと消音器との連結構造が、提案されている。この模型エンジンと消音器との連結構造によれば、流路断面積の小さな細長い連結パイプ内を排気ガスが高速で流通するようになり、それによって生ずる吸引作用に基づいて、排気ガスが、模型エンジン内から、連結パイプを通じて、より効率的且つスムーズに排出される。そして、その結果、模型エンジンの排圧が有利に低下し、以て、パワーロスの防止が効果的に図られ得るようになるのである。しかしながら、このような模型エンジンと消音器との連結構造を採用する場合、長尺な連結パイプが必要となるために、模型エンジンと消音器との組付体が不可避的に大型化するといった欠点が存していた。
【０００５】
かかる状況下、模型エンジンと消音器との組付体を大型化することなく、模型エンジン内からの排気ガスの効率的な排出を可能とした模型エンジン用消音器が提案されている。この消音器は、図２に示されるように、長手の円筒部１００に、その軸方向両側の開口部をそれぞれ閉塞する閉塞端部（底部）１０２ａ，１０２ｂを設けてなる両側有底円筒状の消音器本体１０４を有している。消音器本体１０４内には、内部筒体１０６が、軸方向一方（図２中、左方）の閉塞端部１０２ａ側に偏倚した位置において、同軸的に延びるように配置されている。内部筒体１０６は、閉塞端部１０２ａに近接位置する軸方向一方側の端部が、閉塞端部１０２ａに向かって開口する開口端１０８とされている。また、消音器本体１０４の軸方向中央部の内周面には、内フランジ状の連結部１１０が一体形成されており、内部筒体１０６が、消音器本体１０４の軸方向中央側に位置する内部筒体１０６の端部側において、かかる連結部１１０を介して、消音器本体１０４の内周面に連結されている。これにより、消音器本体１０４内の軸方向一方側に、消音器本体１０４の内周面と内部筒体１０６の外周面との間の環状間隙からなる内側流路１１２が形成されている。そして、この内側流路１１２は、消音器本体１０４の軸方向一方側部分に設けられた流入口１１４を通じて外部に連通している。また、流入口１１４は、図示しない模型エンジンの排気口に接続される連結パイプ１１６に連結されている。
【０００６】
かくして、模型エンジンから排出される排気ガスが、連結パイプ１１６と流入口１１４とから内側流路１１２内に導入され、更に、この内側流路１１２から開口端１０８を通じて内部筒体１０６内に導かれて、消音器本体１０４内を流通するようになっている。また、この排気ガスが流通する消音器本体１０４内には仕切壁１１８が設けられて、この仕切壁１１８を間に挟んで閉塞端部１０２ｂ側の空間が、容積の大なる消音室１２０とされている。更に、閉塞端部１０２ｂには、消音室１２０内を流通した排気ガスを外部に排出するための流出口１２２が形成されている。
【０００７】
このように、従来の模型エンジン用消音器においては、図示しない模型エンジンから、連結パイプ１１６と流入口１１４を通じて、内側流路１１２内に流入した排気ガスが、図２に矢印で示されるように、開口部１０８から内部筒体１０６内に流入し、そして、仕切壁１２０に形成された連通孔１２４を経て、消音室１２０内を流通するようになるが、このとき、排気ガスが、容積の大きな消音室１２０内で拡散することにより、排気ガスの有する圧力エネルギーが低下し、以て排気音が消音乃至は低減されるようになっている。
【０００８】
また、かかる消音器にあっては、連結パイプ１１６の流路断面積よりも、内側流路１１２の流路断面積が大なる大きさに設定され、更に、内部筒体１０６の流路断面積（軸直角方向断面積）が、内側流路１１２の流路断面積よりも更に大なる大きさに設定されている。つまり、模型エンジンから排出された排気ガスが、徐々に乃至は段階的に流路断面積が大きくなる流路を通じて、消音器本体１０４（消音室１２０）内に導かれるようになっている。これにより、排気ガスの流路内での流通抵抗が可及的に低く抑えられて、模型エンジンから、排気ガスがスムーズに排出されるようになる。その結果、長尺な連結パイプを用いることなしに、模型エンジンの排圧を低下させて、パワーロスの防止を図り得るようになっているのである。
【０００９】
ところが、本発明者が、上記の如き構造を有する従来の模型エンジン用消音器を用いて様々な試験を行ったところ、従来の模型エンジン用消音器が、パワーロスの防止効果を十分に発揮するものであるとは言い難く、その点において更に改良すべきものであることが判明したのである。
【先行技術文献】
【特許文献】
【００１０】
【特許文献１】特開平５−７６６５９号公報
【特許文献２】特開２００４−３３９９４７号公報
【発明の概要】
【発明が解決しようとする課題】
【００１１】
ここにおいて、本発明は、上述せる如き事情を背景にして為されたものであって、その解決課題とするところは、有効な消音効果を発揮する一方で、模型エンジン内からの排気ガスの効率的且つスムーズな排出を更に促進させることにより、排圧を更に有利に低下させて、パワーロスの防止をより効果的に図り得るようにした模型エンジン用消音器の改良された構造を提供することにある。
【課題を解決するための手段】
【００１２】
そして、かかる課題の解決のために、本発明者は、先ず、内側流路を備えた従来の模型エンジン用消音器がパワーロスを十分に防ぎ得ないといった問題を生ずる原因を究明すべく種々検討を行い、その結果、以下のような結論を得た。
【００１３】
すなわち、従来の消音器では、内側流路が、内部筒体を取り囲むように形成された環状間隙からなると共に、内部筒体の開口部に近接位置する消音器本体の閉塞端部の内面が、凹状湾曲面形状（図２参照）か又は平坦面形状を有している。そのため、内側流路内を流通する排気ガスが、内側流路から内部筒体の開口端と、それに近接位置する閉塞端部との間の空間内に流入したときに、閉塞端部内面に衝突したり、或いは図２に矢印で示されるように、かかる空間内に流入した排気ガスが、平坦面形状又は凹状湾曲面形状を呈する閉塞端部内面に沿って流れるときに、閉塞端部内面の互いに異なる部位に沿って流れる排気ガス同士が、閉塞端部内面の中心部付近で互いに衝突する現象が生ずる。そして、それらの現象により、排気ガスの流れに乱れが発生して、内側流路内での排気ガスの流通抵抗が増大し、それによって、模型エンジンからの排気ガスのスムーズな排出が阻害されるようになる。このことが、上記の問題の発生原因であるとの結論を得たのである。
【００１４】
本発明は、上記の結論を基に、前記した課題を解決すべく更に鋭意研究を重ねた結果、完成に至ったものであって、その要旨とするところは、長手の円筒体の軸方向両側の端部をそれぞれ閉塞してなる消音器本体内に、該消音器本体の一方の閉塞端部側に偏倚して同軸的に内部筒体を配置せしめ、該消音器本体の該一方の閉塞端部側に近接位置する該内部筒体の端部を開口部とする一方、該内部筒体の該消音器本体中央側に位置する端部側において、該消音器本体の内周面に連結して、それら内部筒体と消音器本体の内周面との間を閉鎖せしめ、更に、それら内部筒体と消音器本体との間に形成される環状間隙に模型エンジンからの排気ガスを導く流入口を該消音器本体に設けると共に、該消音器本体の他方の閉塞端部側に、該消音器本体内を流通した排気ガスを外部に排出するための流出口が設けられた模型エンジン用消音器において、前記消音器本体の前記一方の閉塞端部内面に、軸方向内方に突出する山形形状の案内突部を設け、前記流入口から流入した排気ガスが、前記環状間隙を通って前記消音器本体の前記一方の閉塞端部側に導かれ、そして該一方の閉塞端部で反転させられると共に、前記案内突部にて案内されて、前記内部筒体の開口端から該内部筒体内に導かれ、更に前記消音器本体内を通って前記流出口から外部に排出されるように構成したことを特徴とする模型エンジン用消音器にある。
【００１５】
なお、そのような本発明の好ましい態様の一つによれば、前記案内突部が、円錐形状、又は湾曲先端部とした円錐形状において、形成される。
【００１６】
また、本発明の有利な態様の一つによれば、前記消音器本体における前記一方の閉塞端部内面と、該消音器本体の該一方の閉塞端部側の内周面との間に形成される内側角部が、凹状湾曲面形態とされる。
【００１７】
さらに、本発明の望ましい態様の一つによれば、前記消音器本体内を前記内部筒体の配置側と前記流出口の配置側とに仕切る仕切壁が設けられると共に、該仕切壁の両側の室を連通せしめる連通孔が該仕切壁に設けられる。
【発明の効果】
【００１８】
すなわち、本発明に従う模型エンジン用消音器においては、内側流路から消音器本体の一方の閉塞端部に向かって流れ出る排気ガスが、かかる閉塞端部内面に設けられた案内突部に案内されることにより、流動方向を反転させて、内部筒体の開口端から、消音器本体内に流入するようになる。このため、本発明に係る消音器では、排気ガスが、内側流路から、内部筒体の開口端を通じて、消音器本体内に流入する際に、従来の消音器とは異なって、消音器本体の閉塞端部内面に排気ガスが衝突したり、或いは閉塞端部内面の互いに異なる部位に沿って流れる排気ガス同士が、閉塞端部内面の中心部付近で互いに衝突したりすることが有利に解消される。これにより、内側流路から内部筒体内への排気ガスの流れに乱れが生ずることが効果的に回避され得る。その結果、内側流路内での排気ガスの流れがよりスムーズとなって、その流通抵抗が、効果的に低減され得る。
【００１９】
従って、かくの如き本発明に従う模型エンジン用消音器にあっては、有効な消音効果を発揮する一方で、模型エンジン内からの排気ガスの効率的且つスムーズな排出を、より一層有利に促進させることが出来、以て、排圧を更に有利に低下させて、模型エンジンのパワーロスを更に一段と効果的に防止することが可能となるのである。
【図面の簡単な説明】
【００２０】
【図１】本発明に従う構造を有する模型エンジン用消音器の一実施形態を示す縦断面説明図である。
【図２】従来構造を有する模型エンジン用消音器を示す縦断面説明図である。
【発明を実施するための形態】
【００２１】
以下、本発明を更に具体的に明らかにするために、本発明の実施の形態について、図面を参照しつつ、詳細に説明することとする。
【００２２】
先ず、図１には、本発明に従う模型エンジン用消音器の一実施形態が、その縦断面形態において示されている。かかる図１から明らかなように、本実施形態の模型エンジン用消音器は、消音器本体１０を有している。
【００２３】
より具体的には、消音器本体１０は、長手の円筒部１２と、この円筒部１２の中心軸：Ｐ方向（以下、単に、軸方向と言う）の一方側（図１の左側）の開口部を閉塞する第一の閉塞端部１４ａと、円筒部１２の軸方向他方側（図１の右側）の開口部を閉塞する第二の閉塞端部１４ｂとを一体的に備えた両側有底円筒形状を呈している。円筒部１２は、第一の閉塞端部１４ａ側に位置する第一端部側円筒部分１６ａと、第二の閉塞端部１４ｂ側に位置する第二端部側円筒部分１６ｂと、第一端部側円筒部分１６ａと第二端部側円筒部分１６ｂとの間に位置する中間円筒部分１６ｃとからなっている。それら第一端部側円筒部分１６ａと第二端部側円筒部分１６ｂと中間円筒部分１６ｃは、軸方向と直交する断面積（以下、軸直角方向断面積と言う）が互いに同一の大きさとされている。
【００２４】
そのような円筒部１２の第一端部側円筒部分１６ａの中間円筒部分１６ｃ側に偏倚した部位には、かかる部位を貫通する流入口１８が設けられている。また、第一端部側円筒部分１６ａの流入口１８の形成部位には、流入口１８を通じて消音器本体１０内に連通する、長さの短い連結パイプ２０が、中心軸：Ｐ方向と直交する方向（以下、単に、軸直角方向と言う）の外方に突出するように一体形成されている。即ち、連結パイプ２０は、消音器本体１０内に連通する開口部が、流入口１８にて構成されている。そして、ここでは、連結パイプ２０の流路断面積と流入口１８の開口面積とが、互いに同一の大きさで、且つ円筒部１２の軸直角方向断面積（第一端部側、第二端部側、及び中間円筒部分１６ａ，１６ｂ，１６のそれぞれの軸直角方向断面積）よりも小さな大きさに設定されている。
【００２５】
また、連結パイプ２０の突出先端部の外周面には、外フランジ部２２が一体的に周設されており、この外フランジ部２２には、取付ネジの挿通孔２４が複数設けられている。このような連結パイプ２０が、図示しない模型エンジンの排気口に連通した状態で、各挿通孔２４に挿通された取付ネジ（不図示）にて模型エンジンに取り付けられることにより、模型エンジンから排出される排気ガスが、連結パイプ２４と流入口１８とを通じて、消音器本体１０内に流入されるようになっている。
【００２６】
一方、消音器本体１０の内部には、円筒部１２内を、第一端部側円筒部分１６ａ及び中間円筒部分１６ｃの内側空間と第二端部側円筒部分１６ｂの内側空間とに二つに仕切る仕切壁部２６が、設けられている。そして、この仕切壁部２６を間に挟んで第一の閉塞端部１４ａ側に位置する、第一端部側円筒部分１６ａ及び中間円筒部分１６ｃの内側空間が、膨張室２８とされている一方、仕切壁部２６を間に挟んで第二の閉塞端部１４ｂ側に位置する第二端部側円筒部分１６ｂの内側空間が、消音室３０とされている。それら膨張室２８と消音室３０は、何れも、連結パイプ２０の流路断面積や流入口１８の開口面積よりも大なる軸直角方向断面積と十分に大きな容積を有している。
【００２７】
また、仕切壁部２６の外周部には、細径の貫通孔３２が、１個又は複数個（図１には１個のみ示す）設けられている。この貫通孔３２を通じて、膨張室２８と消音室３０とが互いに連通している。更に、第二の閉塞端部１４ｂには、その中心部に、排気パイプ３４が、第二の閉塞端部１４ｂを貫通して延び出して、消音室３０内と外部とにそれぞれ開口するように形成されている。そして、この排気パイプ３４の外部への開口部が、流出口３６とされている。また、かかる排気パイプ３４においては、消音室３０内に位置する部分が、直角に近い角度で屈曲乃至は湾曲している。そうして、排気パイプ３４の消音室３０内への開口部が、消音室３０の筒壁部分を形成する第二端部側円筒部分１６ｂの内周面に向かって開口している。
【００２８】
かくして、本実施形態の模型エンジン用消音器では、連結パイプ２０と流入口１８とを通じて、消音器本体１０内に流入した排気ガスが、先ず、膨張室２８内で、一旦、膨張させられた後、細径の連通孔３２にて絞られ、その後、消音室３０内で、再び膨張乃至は拡散させられるようになっている。これにより、排気ガスの有する圧力エネルギーが十分に低下して、排気音が消音乃至は低減させられるようになっている。そして、消音室３０内の排気ガスは、排気パイプ３４の流出口３６を通じて、外部に流出（排出）されるようになっている。このとき、連通孔３２が、仕切壁部２６の外周部に設けられると共に、排気パイプ３４の消音室３０内への開口部が、連通孔３２の形成位置とは離間する第二端部側円筒部分１６ｂの内周面に向かって開口していることにより、連通孔３２を通じて消音室２８内に流入した排気ガスが、連通孔３２から排気パイプ３４内にダイレクトに流入することが防止され、以て、消音室３０内において、より有効な消音効果が発揮され得るようになっている。
【００２９】
ところで、かくの如き消音構造を有する本実施形態の模型エンジン用消音器にあっては、消音器本体１０における円筒部１２の第一端部側円筒部分１６ａの内側に、内部筒体３８が、同軸的に延びるように配設されている。即ち、内部筒体３８は、円筒部１２内における軸方向中央よりも第一の閉塞端部１４ａ側に偏倚した位置に、第一の閉塞端部１４ａの内面と中間円筒部分１６ｃ内とに向かってそれぞれ開口するように配置されている。また、この内部筒体３８は、第一端部側円筒部分１６ａの内径よりも一回り小さな外径と、前記第一の閉塞端部１４ａに対して軸方向内方に所定距離隔てた位置から中間円筒部分１６ｃ内に達するまでの軸方向長さとを有している。また、内部筒体３８においては、その軸直角方向断面積が、第一端部側、第二端部側、及び中間円筒部分１６ａ，１６ｂ，１６ｃのそれぞれの軸直角方向断面積よりも小さくされているものの、連結パイプ２０の流路断面積や流入口１８の開口面積よりも十分に大きくされている。
【００３０】
そして、このような内部筒体３８が、中間円筒部分１６ｃ内に位置する端部において、中間円筒部分１６ｃの内周面に連結されている。つまり、ここでは、中間円筒部分１６ｃの内周面に、径方向内方に突出し且つ周方向に連続して延びる内フランジ状の連結部４０が、一体形成されている。そして、この連結部４０の内周縁部に対して、内部筒体３８の中間円筒部分１６ｃ内に位置する端部が一体的に連結されている。これにより、内部筒体３８が、連結部４０を介して、中間円筒部分１６ｃの内周面に連結されているのである。
【００３１】
かくして、本実施形態では、前記膨張室２８が、正確には、第一端部側円筒部分１６ａの内側に配置された内部筒体３８の内側空間と中間円筒部分１６ｃの内側空間とにて構成されている。そして、かかる内部筒体３８の外周面と第一端部側円筒部分１６ａの内周面及び中間円筒部分１６ｃの一部の内周面との間に形成される間隙が、内側流路４２として、形成されている。
【００３２】
すなわち、内側流路４２は、内部筒体３８の周りを取り囲んで、第一の閉塞端部１４ａと中間円筒部分１６ｃとの間を軸方向に延びる環状乃至は筒状空間からなっている。そして、中間円筒部分１６ｃ側が連結部４０にて閉塞されて、第一の閉塞端部１４ａ側のみにおいて開口し、且つ軸方向中間部において、流入口１８に連通している。また、この内側流路４２においては、その流路断面積が、流入口１８の開口面積や連結パイプ２０の流路断面積よりも大きく、且つ内部筒体３８の軸直角方向断面積よりも小さくされている。
【００３３】
これにより、連結パイプ２０と流入口１８とを通じて消音器本体１０内に導入された模型エンジンの排気ガスが、先ず、連結パイプ２０の流路断面積や流入口１８の開口面積よりも大きな流路断面積（軸直角方向断面積）を有する内側流路４２内に流入して、内側流路４２内を第一の閉塞端部１４ａに向かって流動し、第一の閉塞端部１４ａと内部筒体３８との間の空間内で、排気ガスの流動方向が、第一の閉塞端部１４ａにて反転させられる。そして、かかる排気ガスが、第一の閉塞端部１４ａに近接位置して、その内面に向かって開口する内部筒体３８の軸方向一方側端部の開口部３９を通じて、内側流路４２よりも流路断面積（軸直角方向断面積）が、更に大きな膨張室２８内に流入するようになっている。
【００３４】
このように、本実施形態の模型エンジン用消音器においては、連結パイプ２０及び流入口１８と内側流路４２と膨張室２８とからなる、流路断面積が徐々に乃至は段階的に大きくされた流路を通じて、模型エンジンの排気ガスが、消音室３０内に導かれるようになっている。これにより、上記の流路内での排気ガスの流通抵抗が可及的に低く抑えられて、模型エンジンからの排気ガスのスムーズな排出を有利に促進させ得るようになっているのである。
【００３５】
そして、かくの如き本実施形態の模型エンジン用消音器にあっては、特に、模型エンジンからの排気ガスのスムーズな排出を更に一段と促進させるべく、消音器本体１０の第一の閉塞端部１４ａに対して特別な工夫が為されている。
【００３６】
すなわち、第一の閉塞端部１４ａの内面には、案内突部４４が、一体形成されている。この案内突部４４は、第一の閉塞端部１４ａの内面の中心部において、円筒部１２と同軸上で、円筒部１２の軸方向内方、つまり第二の閉塞端部１４ｂ側に向かって突出している。また、案内突部４４は、全体として、山形形状を呈し、円筒部１２の中心軸：Ｐと一致する中心軸：Ｑ方向と直交する断面（以下、軸直角方向断面と言う）が、中心軸：Ｑ方向（以下、単に、軸方向と言う）の何れの位置においても、全て円形状を呈している。そして、そのような円形状の直角方向断面の面積が、突出先端に向かって徐々に且つ滑らかに小さくされている。また、この案内突部４４の先端面が、円筒部１２の軸方向内方に凸となる湾曲面とされている。
【００３７】
つまり、案内突部４４は、全体形状が、湾曲先端部を有する円錐形状とされている。そして、かかる案内突部４４の外周面が、突出先端に向かって徐々に小径化するテーパ形状を呈するテーパ状案内面４６とされている。
【００３８】
なお、案内突部４４の高さやテーパ状案内面４６のテーパ角度等は、特に限定されるものではなく、第一の閉塞端部１４ａの大きさや円筒部１２の軸直角方向断面積の大きさ、或いは円筒部１２（第一端部側円筒部分１６ａ）の軸方向長さ等に応じて、適宜に決定されるところである。
【００３９】
また、そのような案内突部４４が設けられた第一の閉塞端部１４ａの外周縁部が、全周に亘って、第二の閉塞端部１４ｂ側に湾曲している。更に、円筒部１２の第一端部側円筒部分１６ａにおける第一の閉塞端部１４ａ側の端部が、全周に亘って、軸直角方向内方に湾曲している。そして、そのような湾曲形態を呈する第一の閉塞端部１４ａの外周縁部と第一端部側円筒部分１６ａの端部とが、互いに一体化されている。これにより、第一の閉塞端部１４ａの内面と第一端部側円筒部分１６ａの内周面との間に形成される内側角部４８が、円筒部１２の軸方向内方において凹となる凹状湾曲面形態を有する凹状湾曲案内面５０とされている。なお、凹状湾曲面５０の部分的或いは全体の曲率半径等は、第一の閉塞端部１４ａや案内突部４４の大きさ等に応じて、適宜に決定されるところである。本実施形態では、凹状湾曲案内面５０の断面が、円弧形状とされている。
【００４０】
かくして、消音器本体１０の第一の閉塞端部１４ａの内面が、凹状湾曲案内面５０からなる外周部とテーパ状案内面４８からなる中心部とを備えた、角張った部分のない、なだらかな面にて構成されているのである。
【００４１】
それ故、本実施形態の模型エンジン用消音器においては、図１に矢印で示されるように、内側流路４２から第一の閉塞端部１４ａに向かって流れる排気ガスが、第一の閉塞端部１４ａの内面の外周部に設けられた凹状湾曲案内面５０に沿って、第一の閉塞端部１４ａの内面の中心側にスムーズに導かれる。このとき、排気ガスが、第一の閉塞端部１４ａの内面の外周部に衝突して、排気ガスの流れが遮られるようなことが、有利に回避される。また、凹状湾曲案内面５０によって第一の閉塞端部１４ａの内面の中心側に導かれた排気ガスは、第一の閉塞端部１４ａ内面の中心部に設けられた案内突部４４の外周面からなるテーパ状案内面４６に沿って流れることで、流動方向が第二の閉塞端部１４ｂ側に向かう方向に効果的に反転させられる。これにより、第一の閉塞端部１４ａの内面の互いに異なる部位に沿って流れる排気ガス同士が互いに衝突することも、有利に解消される。
【００４２】
このため、内側流路４２から流出した排気ガスが、その流れに乱れを生じさせることなく、内側流路４２から内部筒体３８内にスムーズに流入するようになる。これによって、連結パイプ２０内及び流入口１８から内側流路４２を経て、膨張室２８内に至る流路内での排気ガスの流れが、より一層スムーズとなって、かかる流路内での排気ガスの流通抵抗が、更に有利に低下させられ得る。そうして、模型エンジン内の排気ガスが、連結パイプ２０を通じて、消音器本体１０内、更には消音室３０内に、より一層効率的且つスムーズに導入され得る。
【００４３】
従って、かくの如き本実施形態の模型エンジン用消音器にあっては、有効な消音効果を発揮しつつ、模型エンジン内からの排気ガスの効率的且つスムーズな排出を、より一層有利に促進させることが出来る。そして、その結果として、模型エンジン内の排圧をより有利に低下させて、模型エンジンのパワーロスを更に一段と効果的に防止することが出来るのである。
【００４４】
以上、本発明の具体的な構成について詳述してきたが、これはあくまでも例示に過ぎないのであって、本発明は、上記の記載によって、何等の制約をも受けるものではない。
【００４５】
例えば、案内突部４４の形状は、例示の形状に何等限定されるものではなく、消音器本体１０の軸方向内方に突出する山形形状であれば、様々な形状が採用可能である。。即ち、案内突部４４の形状として、例えば、円錐形状や角錐形状、円錐台形状や角錐台形状、半球面形状や、軸直角断面の中心軸を間に挟んで軸直角方向両側に位置するそれぞれの稜線が、軸直角方向外方に凸となる湾曲線や軸直角方向外方に凹となる湾曲線を描く形状等も、適宜に採用され得る。
【００４６】
また、案内突部４４の内部を中空としても良い。そうすることによって、案内突部４４の形成による模型エンジン用消音器の重量の増大が可及的に抑制され得る。
【００４７】
さらに、排気音の消音構造は、公知の構造が適宜に採用され得るのであって、例えば、消音器本体１０内に消音材乃至は吸音材を収容して、それら消音材や吸音材にて、消音を行うようにした構造としても、何等差し支えない。
【００４８】
加えて、本発明は、模型飛行機や模型自動車、模型船舶等の各種の模型に取り付けられる模型エンジン用の消音器の何れに対しても、有利に適用されるものであることは、勿論である。
【００４９】
その他、一々列挙はしないが、本発明は、当業者の知識に基づいて種々なる変更、修正、改良等を加えた態様において実施され得るものである。また、そのような実施態様が、本発明の趣旨を逸脱しない限り、何れも、本発明の範囲内に含まれるものであることは、言うまでもないところである。
【符号の説明】
【００５０】
１０  消音器本体                      １２  円筒部
１４ａ  第一の閉塞端部                １４ｂ  第二の閉塞端部
１６ａ  第一端部側円筒部分            １６ｂ  第二端部側円筒部分
１６ｃ  中間円筒部分                  １８  流入口
２０  連結パイプ                      ２８  膨張室
３０  消音室                          ３６  流出口
３８  内部筒体                        ４０  連結部
４２  内側流路                        ４４  案内突部
４８  内側角部
【図１】
2011007143.tif 000003
【図２】
2011007143.tif 000004